(57)【要約】【課題】灯具を含む照明制御システムであって、灯具の位置と灯具が有する固有識別情報との対応を設定するためのプログラムを簡略化することが可能な照明制御システムを提供する。【解決手段】照明制御システムは、照明用空間に設置される複数の灯具と、複数の灯具と通信可能に接続された制御装置とを備えている。複数の灯具は、それぞれ固有識別情報を有している。制御装置は、複数の灯具に情報を送信するために操作されるタッチパネルを有している。制御装置は、照明用空間における各灯具の位置と各灯具の各固有識別情報とを対応させるための設定に用いられるように構成されている。タッチパネルにおいて、照明用空間における各灯具の位置の情報が制御装置に入力されることにより、照明用空間における各灯具の位置と各灯具の各固有識別情報との対応が設定される。【選択図】図６
2014011007.tif 000002
【特許請求の範囲】
【請求項１】
それぞれ固有識別情報を有し、照明用空間に設置される複数の灯具と、
前記複数の灯具と通信可能に接続され、前記複数の灯具に情報を送信するために操作される操作部を有し、且つ、前記照明用空間における前記各灯具の位置と前記各灯具の前記各固有識別情報とを対応させるための設定に用いられるように構成された制御装置とを備え、
前記操作部において、前記照明用空間における前記各灯具の位置の情報が前記制御装置に入力されることにより、前記照明用空間における前記各灯具の位置と前記各灯具の前記各固有識別情報との対応が設定される、照明制御システム。
【請求項２】
前記制御装置は、前記固有識別情報に対応する単位時間の情報を含むマスクデータを有する第１の電文を、前記照明用空間における前記各灯具に送信し、
前記第１の電文を受信した前記各灯具は、前記固有識別情報と前記マスクデータとに基づいた所定の待ち時間ごとに順に、前記照明用空間における前記各灯具の位置の情報を取得するための第２の電文を前記制御装置に送信するとともに、前記照明用空間における他の前記灯具と異なる点灯状態に変化し、
前記制御装置は、異なる点灯状態に変化した前記灯具に当該灯具の位置の情報を含む第３の電文を送信する、請求項１に記載の照明制御システム。
【請求項３】
前記第１の電文に含まれる前記マスクデータの範囲は、前記操作部において任意の値に設定される、請求項２に記載の照明制御システム。
【請求項４】
前記制御装置は、前記第１の電文を送信した後に、第１の所定時間、前記各灯具から前記第２の電文の応答が無い場合には、前記各灯具が前記待ち時間を第２の所定時間ごとにスキップするための第４の電文を、前記照明用空間における前記各灯具に送信する、
請求項２または請求項３に記載の照明制御システム。
【請求項５】
前記各灯具は、前記位置の情報が設定されていない場合のみに前記第２の電文を前記制御装置に送信するように構成されている、
請求項２から請求項４までのいずれか１項に記載の照明制御システム。
【発明の詳細な説明】
【技術分野】
【０００１】
本発明は、照明制御システムに関する。
【背景技術】
【０００２】
ビル等の商業施設に設置される複数の灯具としての照明器具を制御する照明制御システムのうち、特開２０１１−２０４６５６号公報（以下、特許文献１という）に記載の照明制御システムが従来から知られている。このような照明制御システムにおいては、複数の照明器具を含む当該照明制御システムが照明用空間に設置された後に、各照明器具または各グループに分けられた複数の照明器具を一括して制御することができるように、各照明器具が配置された位置と、各照明器具が有する固有識別情報（アドレス）との対応を設定する必要がある。
【０００３】
特許文献１に記載の照明制御システムにおいては、当該照明制御システムの各種設定を行うための設定端末が、照明制御システムと通信可能に無線または有線で接続されている。設定端末は、汎用のパーソナルコンピュータまたは専用の機器であって、作業者が照明空間に持ち込むことができるものである。また、設定端末は、キーボードもしくはマウス、または、タッチパネル等を含む操作部と、表示部とを有している。
【０００４】
設定端末は、所定のプログラムを有している。当該照明制御システムにおいて、各照明器具の位置と、各照明器具の固有識別情報とを対応させるための設定は、このプログラムに従って行われる。プログラムが実行される場合には、設定端末の表示部に、上記設定を行うための所定の設定ウインドが表示される。この設定ウインドは、照明空間としての施設の階数を選択するための選択領域と、照明空間のレイアウトを平面的に表示するレイアウト表示領域等とを含む。
【０００５】
レイアウト表示領域には、プログラムに予め入力されている施設の当該階数のレイアウトが表示される。プログラムの実行が開始されて、所定の設定モードが選択されるように設定端末の操作部が操作される場合は、設定ウインドの隣にサブウインドが表示される。
【０００６】
サブウインドには、設定の対象である複数の照明器具のアイコンが番号順に表示される。サブウインドに表示される各照明器具のアイコンの番号は、各照明器具の固有識別情報（アドレス）に対応している。
【０００７】
サブウインドに表示された任意のアイコンを選択するように設定端末の操作部が操作される場合には、選択されたアイコンの表示が反転する（例えば白色から黒色に切り換わる）とともに、選択されたアイコンに対応するアドレスの照明器具が、当該照明空間において点滅する。
【０００８】
作業者は、点滅する照明器具の位置を確認したうえで、レイアウト表示領域において表示された各照明装置のうち、点滅する照明器具の位置に対応する位置に示されるアイコンに、表示が反転した照明器具のアイコンを、サブウインドからドラックアンドペーストで移動させるように操作する。
【０００９】
照明器具のアイコンがレイアウト表示領域の対応する位置に配置されることによって、移動されたアイコンを示す選択されたアイコンは、サブウインドから消え、または、サブウインドにおいて設定済みの表示に切り換わる。また、サブウインドにおいて選択されていた照明器具は、当該照明空間において点滅状態から２５％調光の点灯に切り換わる。そのため、作業者は、２５％調光で点灯している照明器具が設定済みであることを容易に視認することができる。
【００１０】
作業者は、当該照明空間において、設定可能な全ての照明器具の点灯状態を確認する。当該照明空間において、全ての照明器具が２５％調光で点灯している場合、すなわち、１００％調光で点灯している照明器具がない場合には、設定可能な全ての照明器具の設定が完了したとする設定内容を登録するように、作業者が設定端末の操作部を操作することによって、設定モードが終了する。一方、１００％調光で点灯している照明器具が残っている場合には、未設定の照明器具に対して同様に設定を行う。
【先行技術文献】
【特許文献】
【００１１】
【特許文献１】特開２０１１−２０４６５６号公報
【発明の概要】
【発明が解決しようとする課題】
【００１２】
特許文献１に記載の照明制御システムにおいて、上述した操作は、点滅した各照明器具のアドレスが、設定端末に予め認識された各照明器具の位置の情報に対応するようになされる操作である。つまり、特許文献１に記載の照明制御システムにおいて上記のように設定が行われるためには、照明空間における各照明器具の位置の情報を、設定端末に予め認識させていなければならない。そのため、特許文献１に記載の照明制御システムにおいては、設定端末が有する所定のプログラムが比較的複雑である。
【００１３】
また、特許文献１に記載の照明制御システムによれば、作業者は、当該照明空間における設定可能な全ての照明器具について、サブウインドに示された照明器具のアイコンを一つずつ選択し、且つ、点滅する照明器具の位置を確認したうえで、選択した照明器具のアイコンをレイアウト表示領域の対応する位置に移動させるように操作しなければならない。このように、特許文献１に記載の照明制御システムにおいては、各照明器具が配置された位置と各照明器具が有するアドレスとの対応を設定するための作業が行われる場合に、この設定のための操作が比較的複雑であって、誤入力のおそれがある。
【００１４】
そこで、本発明の目的は、灯具を含む照明制御システムであって、灯具の位置と灯具が有する固有識別情報との対応を設定するためのプログラムを簡略化することが可能な照明制御システムを提供することである。
【課題を解決するための手段】
【００１５】
本発明に従った照明制御システムは、照明用空間に設置される複数の灯具と、複数の灯具と通信可能に接続された制御装置とを備えている。複数の灯具は、それぞれ固有識別情報を有している。制御装置は、複数の灯具に情報を送信するために操作される操作部を有している。制御装置は、照明用空間における各灯具の位置と各灯具の各固有識別情報とを対応させるための設定に用いられるように構成されている。操作部において、照明用空間における各灯具の位置の情報が制御装置に入力されることにより、照明用空間における各灯具の位置と各灯具の各固有識別情報との対応が設定される。
【００１６】
本発明によれば、制御装置を用いた作業者によって、照明用空間における各灯具の位置の情報が制御装置に入力されることにより、照明用空間における各灯具の位置と各灯具の各固有識別情報とを対応させることができる。つまり、本発明に従った照明制御システムにおいて、照明用空間における各灯具の位置の情報は、制御装置に予め認識されていなくてもよい。そのため、本発明に従った照明制御システムにおいては、灯具の位置と灯具が有する固有識別情報との対応を設定するためのプログラムを簡略化することができる。
【００１７】
また、本発明によれば、照明用空間における各灯具の位置のみの情報を作業者が入力することによって、照明用空間における各灯具の位置と各灯具の各固有識別情報とを対応させることができる。このように、本発明によれば、灯具の位置と灯具が有する固有識別情報との対応が設定される場合に、作業性の向上が可能である。
【００１８】
このようにすることにより、灯具を含む照明制御システムであって、灯具の位置と灯具が有する固有識別情報との対応を設定するためのプログラムを簡略化することが可能な照明制御システムを提供することができる。
【００１９】
本発明に従った照明制御システムにおいて、制御装置は、好ましくは、固有識別情報に対応する単位時間の情報を含むマスクデータを有する第１の電文を、照明用空間における各灯具に送信する。第１の電文を受信した各灯具は、好ましくは、固有識別情報とマスクデータとに基づいた所定の待ち時間ごとに順に、照明用空間における各灯具の位置の情報を取得するための第２の電文を制御装置に送信するとともに、照明用空間における他の灯具と異なる点灯状態に変化する。制御装置は、好ましくは、異なる点灯状態に変化した灯具に当該灯具の位置の情報を含む第３の電文を送信する。
【００２０】
この構成によれば、制御装置を用いて照明用空間における各灯具の位置と各灯具の各固有識別情報とを対応させるための設定を行う作業者は、他の灯具と異なる点灯状態に変化した第２の電文を送信する灯具を視認したうえで、制御装置の操作部を操作する。このとき、作業者は、照明用空間における各灯具の位置のみの情報を入力することによって、照明用空間における各灯具の位置と各灯具の各固有識別情報とを対応させることができる。つまり、本発明によれば、作業性の向上をさらに図ることができる。
【００２１】
本発明に従った照明制御システムにおいて、第１の電文に含まれるマスクデータの範囲は、好ましくは、操作部において任意に設定される。
【００２２】
この構成によれば、照明用空間に設置されるすべての灯具の固有識別情報の範囲が前もって知られている場合に、第１の電文に含まれるマスクデータの範囲を、照明用空間に配置された複数の灯具の固有識別情報の範囲に応じて設定することにより、制御装置が第１の電文を送信してから各灯具が制御装置に第２の電文を送信するまでの時間を、それぞれ短縮することができる。このように、作業に掛かる時間を短縮することができるため、作業性をより向上させることができる。
【００２３】
本発明に従った照明制御システムにおいて、制御装置は、好ましくは、第１の電文を送信した後に、第１の所定時間、各灯具から第２の電文の応答が無い場合には、各灯具が待ち時間を第２の所定時間ごとにスキップするための第４の電文を、照明用空間における各灯具に送信する。
【００２４】
この構成によれば、固有識別情報とマスクデータとに基づいた待ち時間がスキップされるため、制御装置が第１の電文を送信してから、各灯具が制御装置に第２の電文を送信するまでの時間を短縮することができる。このように、この構成によれば、作業に掛かる時間を短縮することができるため、作業性をより向上させることができる。
【００２５】
本発明に従った照明制御システムにおいて、各灯具は、好ましくは、位置の情報が設定されていない場合のみに第２の電文を制御装置に送信するように構成されている。
【００２６】
この構成によれば、照明用空間に設置された複数の灯具のうちの一部のみを入れ替える場合または照明用空間に灯具を追加する場合等において、位置の情報が設定されていない灯具のみについて、照明用空間における各灯具の位置と各灯具の各固有識別情報とを対応させるための設定を行うことができる。
【発明の効果】
【００２７】
以上のように、本発明によれば、灯具を含む照明制御システムであって、灯具の位置と灯具が有する固有識別情報との対応を設定するためのプログラムを簡略化することが可能な照明制御システムを提供することができる。
【図面の簡単な説明】
【００２８】
【図１】本発明に係る照明制御システムのブロック図である。
【図２】本発明に係る照明制御システムにおいて、制御装置に表示される操作部の一例を示す模式図である。
【図３】本発明に係る照明制御システムにおいて、照明用空間に設置される各灯具の位置の状況と、各灯具が有する固有識別情報との一例、および、照明用空間における各灯具の位置の情報と各灯具が有する固有識別情報との対応の一例を示す模式図である。
【図４】本発明に係る照明制御システムの制御装置が実行する制御のフローチャートである。
【図５】本発明に係る照明制御システムの各灯具が実行する制御のフローチャートである。
【図６】本発明に係る照明制御システムにおいて用いられる各電文のフォーマットの一例を示す模式図である。
【図７】本発明に係る照明制御システムの通信手順のシーケンスの一例を示す模式図である。
【図８】本発明に係る照明制御システムにおいて、照明用空間における各灯具の位置と各灯具が有する固有識別情報とを対応させるための制御が開始される場合に制御装置に表示される画面の一例を示す模式図である。
【図９】本発明に係る照明制御システムにおいて、照明用空間における各灯具の位置と各灯具が有する固有識別情報とを対応させるための制御が実行される場合に制御装置に表示される画面の一例を示す模式図である。
【図１０】本発明に係る照明制御システムにおいて、照明用空間における各灯具の位置と各灯具が有する固有識別情報とを対応させるための制御が実行される場合に制御装置に表示される画面の別の一例を示す模式図である。
【発明を実施するための形態】
【００２９】
以下、本発明の実施の形態を図面に基づいて説明する。
【００３０】
図１に、ビル等の商業施設に設置される複数の灯具を制御する照明制御システム１００を示す。照明制御システム１００は、照明用空間に設置される複数の照明器具としての灯具５０１，５０２，・・・，５１６と、制御装置２００とを備えている。照明制御システム１００において、所定の照明用空間に設置される灯具の数は例えば１６であって、灯具５０１、灯具５０２、・・・、灯具５１６を図１に示す。
【００３１】
制御装置２００は、複数の灯具５０１，５０２，・・・，５１６と通信可能に接続されている。制御装置２００は、汎用のパーソナルコンピュータまたは専用の機器であって、作業者が照明用空間に持ち込むことができるものである。制御装置２００は、中央演算処理装置としてのＣＰＵ（Central Processing Unit）２０１と、イーサネット（登録商標）通信Ｉ／Ｆ（インターフェース）２０２と、シリアル通信Ｉ／Ｆ（インターフェース）２０３と、灯具登録テーブル２０４と、タッチパネル２０５とを有している。タッチパネル２０５は、液晶表示装置（ＬＣＤ：Liquid Crystal Display）によって構成されている。
【００３２】
制御装置２００は、イーサネット（登録商標）通信Ｉ／Ｆ２０２を介して、中央監視装置と通信可能に接続されている。通信の規格は、一例としてＢＡＣｎｅｔである。また、制御装置２００は、シリアル通信Ｉ／Ｆ２０３を介して、各灯具と通信可能に接続されている。通信の規格は、一例としてＲＳ−４８５である。制御装置２００は、中央監視装置と複数の灯具との間で信号を送受信することができるように構成されている。また、制御装置２００は、照明用空間における各灯具の位置と各灯具の各固有識別情報とを対応させるための設定に用いられるように構成されている。
【００３３】
タッチパネル２０５は、複数の灯具に情報を送信するために操作される操作部の一例である。このように、ディスプレイとしてのタッチパネル２０５は、操作部を兼用している。制御装置２００の操作部は、キーボードもしくはマウスを含む構成を有していてもよい。
【００３４】
図２に、制御装置２００において各灯具を制御する場合に、タッチパネル２０５に表示される操作画面の一例を示す。照明用空間において例えば位置１〜１６に該当する位置に設置された各灯具の点灯または消灯は、タッチパネル２０５の各キー（点灯／消灯１〜１６）のタッチに応じて切り換えられる。
【００３５】
図３は、照明用空間における各灯具のレイアウトを模式的にテーブルで表したものである。照明用空間に設置された各灯具は、それぞれ固有識別情報を有している。図３に示す各テーブルの各欄の上段は、照明用空間に設置された各灯具が有する固有識別情報の一例であって、各欄の下段は後述する論理ＩＤの一例である。また、図３の左側のテーブルは各灯具に論理ＩＤが設定されていない状態を示し、右側のテーブルは論理ＩＤが設定された状態を示す。なお、固有識別情報としての物理ＩＤは、各灯具の製造段階において予め割り当てられる当該灯具固有の識別情報であり、いわゆる製造番号にも相当する。
【００３６】
照明用空間において例えば２行１列目に該当する位置に設置された灯具は、０ｘ１１０２という物理ＩＤ（固有識別情報）を有している。０ｘ１１０２という物理ＩＤ（固有識別情報）を有した灯具は、自己の固有識別情報と照明用空間における自己の位置との対応が設定される場合に、０ｘ０５という論理ＩＤが設定される。このようにして、例えば、それぞれ０ｘ０１〜０ｘ１０という論理ＩＤを有する灯具が、それぞれ灯具５０１、灯具５０２、・・・、灯具５１６（いずれも図１参照）として、照明制御システム１００（図１参照）または中央監視装置によって制御される。例えば、灯具５１６の点灯または消灯は、図２に示すタッチパネル２０５のキー２１６のタッチに応じて切り換えられる。
【００３７】
なお、照明用空間における各灯具のレイアウトは、図３に示されるように４行４列のものに限定されない。図３は、照明用空間における各灯具のレイアウトの一例である。
【００３８】
以下において、照明用空間における灯具５０１〜５１６の位置と、灯具５０１〜５１６の各固有識別情報との対応を設定するための制御について説明する。照明制御システム１００の制御装置２００が実行する制御のフローチャートについては、図４に示す。一方、照明制御システム１００の各灯具が実行する制御のフローチャートについては、図５に示す。
【００３９】
各灯具に論理ＩＤを設定する場合、作業者は図８に示すように、今回の設定に利用する固有識別情報のおおまかな範囲をタッチパネル２０５内のテキストボックス２２にマスクデータとして入力する。また必要に応じて、テキストボックス２１に値を入力することによって送信開始ＩＤを指定することができる。制御装置２００において設定用のプログラムが立ち上げられる場合には、図４に示すようにまずステップＳ１０１において、上記のテキストボックス２１、２２（図８参照）の入力内容に基づいて送信開始ＩＤ算出の処理が実行され、今回の設定に利用される各固有識別情報の抽出範囲がテキストボックス２２の下に表示される。
【００４０】
作業者は、また、灯具１台ごとの位置の情報を入力する際に必要な時間について、作業間隔（秒）を図８に示すテキストボックス２３に入力する。さらに、作業者は、後述するスキップ動作について、チェック欄２６ａ，２６ｂを用いてそれぞれ有効または無効のいずれかを選択することができる。
【００４１】
ステップＳ１０１に続いて、ステップＳ１０２においては、新規登録のための操作が実行されたか否かが判定される。ステップＳ１０２において、ＹＥＳと判定される場合にはステップＳ１０３に進み、ＮＯと判定される場合にはステップＳ１１０に進む。
【００４２】
作業者によって新規登録を開始するためのキー２４（図８参照）がタッチされることにより、新規登録のための制御が開始される。一方、作業者によって継続登録を開始するためのキー２５（図８参照）がタッチされることにより、継続登録のための制御が開始される。
【００４３】
なお、新規登録とは、所定の照明用空間におけるすべての灯具について、当該照明用空間における各灯具の位置と各灯具の各固有識別情報とを対応させるための論理ＩＤが設定されることをいう。一方、継続登録とは、所定の照明用空間において、複数の灯具の一部についてのみ当該照明用空間における各灯具の位置と各灯具の各固有識別情報とを対応させるための論理ＩＤが設定されることをいう。つまり、制御装置２００は、照明用空間において、複数の灯具の一部についてのみ照明用空間における各灯具の位置と各灯具の各固有識別情報とを対応させるための設定に用いられるようにも構成されている。
【００４４】
ステップＳ１０３においては、制御装置２００（図１参照）から、照明用空間における各灯具に、登録要求電文としての電文Ａが同報送信される（つまり、すべての灯具宛に一斉に送信される）。登録要求電文としての電文Ａと、後述する継続登録要求電文としての電文Ａとは、各灯具から制御装置２００へＩＤ取得要求電文（後述する電文Ｂ）を送信させるための第１の電文の一例である。図６に、照明制御システム１００（図１参照）に用いられる各電文のフォーマットの一例を示す。電文Ａは、制御装置２００（図１参照）から各灯具に対して同報送信されるように構成されている。図６に示すように、電文Ａは、固有識別情報に対応する単位時間の情報を含むマスクデータを有している。
【００４５】
電文Ａの構成においては、送信元ＩＤが制御装置２００に（０ｘＦ０）、且つ、送信先ＩＤが一斉同報用の０ｘＦＦに設定されている。電文Ｂの構成において、送信元ＩＤはデフォルトの０ｘ００に、且つ、送信先ＩＤが制御装置２００に（０ｘＦ０）設定されている。これら電文Ａ，Ｂの構成により、電文Ａを受信した各灯具が制御装置２００に電文Ｂを送信するように、各灯具が制御装置２００に対して応答することができる。
【００４６】
後述する論理ＩＤ設定電文としての電文Ｃの構成においては、送信元ＩＤが制御装置２００に（０ｘＦ０）、且つ、送信先ＩＤがデフォルトの０ｘ００に設定されている。また、電文Ｃは、電文Ｂに含まれる送信元物理ＩＤに一致する送信先物理ＩＤと、後述するように制御装置２００に入力される論理ＩＤとを有している。これら電文Ｂ，Ｃの構成により、電文Ｂを送信した未設定状態の灯具に制御装置２００から電文Ｃが送信されるため、電文Ｂを送信した灯具に該当する論理ＩＤが設定される。
【００４７】
後述するスキップ要求電文としての電文Ｄの構成においては、送信元ＩＤが制御装置２００に（０ｘＦ０）、且つ、送信先ＩＤが一斉同報用の０ｘＦＦに設定されている。電文Ｄの構成によれば、制御装置２００から各灯具に一斉に電文Ｄが送信される。なお、電文Ｄが複数回送信されることにより、電文Ａを受信した各灯具が電文Ｂを送信するまでに掛かる時間が都度短縮される。
【００４８】
図７に示すように、固有識別情報に対応する単位時間が、一例として１０秒である場合には、０ｘ１１０１といった固有識別情報を有する灯具についての所定の待ち時間は、２５７０秒である。言い換えると、０ｘ１１０１といった固有識別情報を有する灯具が、電文Ａを受信してから制御装置２００に応答するまでに掛かる時間は、２５７０秒である。各灯具における所定の待ち時間は、電文Ａに含まれる固有識別情報とマスクデータとに基づいている。このような時間を短縮するために、所定の時間（例えば５０ｍｓ）、いずれかの灯具から応答（ＩＤ取得要求電文（電文Ｂ）の送信）があるか否かが、ステップＳ１０４において判定される。
【００４９】
後述するように、電文Ｂ（図６参照）としてのＩＤ取得要求電文（図５のステップＳ２４５参照）がいずれかの灯具から送信される場合に、ステップＳ１０４においてＹＥＳと判定される。ステップＳ１０４において、ＹＥＳと判定される（つまり、５０ｍｓ以内にいずれかの灯具から応答がある）場合にはステップＳ１０５に進み、ＮＯと判定される（つまり、５０ｍｓを経過してもいずれの灯具からも応答がない）場合にはステップＳ１０８に進む。
【００５０】
ステップＳ１０８においては、今回の設定に用いられるすべての物理ＩＤ（固有識別情報）分のスキャニングが終了しているか否かが判定される。ステップＳ１０８においてＹＥＳと判定される場合には、設定のためのルーチンが終了される。ステップＳ１０８においてＮＯと判定される場合には、ステップＳ１０９に進む。
【００５１】
ステップＳ１０９においては、制御装置２００から各灯具に、スキップ要求電文が同報送信される。図６に、スキップ要求電文としての電文Ｄの構成を示す。電文Ｄは、第４の電文の一例である。待ち時間は、例えば電文Ａに含まれる単位時間の情報に対応する所定の単位時間（例えば１０秒）ごとに短縮される。このようにして、各灯具が制御装置２００に対して応答するまでに掛かる時間を、例えば５０ｍｓごとに１０秒間ずつ短縮することができる。
【００５２】
例えば、０ｘ１１０１といった固有識別情報を有する灯具が、電文Ａ（登録要求電文）を受信したときから制御装置２００（図１参照）にＩＤ取得要求電文（電文Ｂ）を送信するまでに掛かる時間は、２５７０秒である（図７参照）。この灯具が５０ｍｓごとに電文Ｄ（スキップ要求電文）を受信することによって、５０ｍｓごとに１０秒ずつ待ち時間が短縮される（図７参照）。このように、制御装置２００（図１参照）は、電文Ａを同報送信した後に、５０ｍｓ間、各灯具から応答が無い場合には、所定時間としての単位時間（１０秒）ごとに待ち時間を各灯具がスキップするための電文Ｄを、照明用空間における各灯具に送信する。
【００５３】
なお、本実施形態においては、制御装置２００が所定時間（５０ｍｓ）以内にいずれの灯具からもＩＤ取得要求電文（電文Ｂ）を受信しない場合に自動的にスキップ要求電文（電文Ｄ）を送信する例について説明している。ただし、スキップ要求電文（電文Ｄ）は、任意のタイミングにおいて作業者が手動操作することによって送信されるように構成されていてもよい。一方、本実施形態のように、制御装置２００が自動的にスキップ要求電文（電文Ｄ）を送信する場合には、灯具から応答があるかどうか（ＩＤ取得要求電文（電文Ｂ）の送信があるかどうか）を判定する時間を変更できるようにしてもよい。
【００５４】
ステップＳ１０９の後には、ステップＳ１０４に戻る。このように、制御装置２００（図１参照）は、電文Ａを同報送信した後に、５０ｍｓ間各灯具から応答が無い場合には、各灯具が待ち時間を１０秒ごとにスキップするための電文Ｄを、照明用空間における各灯具に送信する。
【００５５】
各灯具の待ち時間が次第に短縮されて、複数の灯具のうちの待ち時間が零（ゼロ）になった灯具から送信されたＩＤ取得要求電文（電文Ｂ）を受信した場合は、ステップＳ１０４においてＹＥＳと判定される。この場合には、待ち時間が零になった灯具に付与される論理ＩＤ（これは照明用空間における当該灯具の位置の情報）が、作業者によって入力されたか否かがステップＳ１０５において判定される。
【００５６】
図９には、照明用空間における各灯具の位置と各灯具が有する固有識別情報とを対応させるための制御が実行される場合にタッチパネル２０５に表示される画面の一例を示す。制御装置２００（図１参照）に灯具が応答する場合には、タッチパネル２０５のウインド３１に、論理ＩＤが付与されていない未登録の灯具の物理ＩＤ（固有識別情報）が表示される。
【００５７】
また、制御装置２００（図１参照）に灯具がＩＤ取得要求電文（電文Ｂ）を送信することによって応答する場合には、応答する灯具の状態が所定の時間（例えば１０秒間）点灯から点滅に変化する。作業者は、照明用空間における各灯具のレイアウトが示された図面等に基づいて、点滅する灯具を確認したうえで、点滅する灯具に対応する論理ＩＤ（照明用空間における灯具の位置の情報）を図８に示すテキストボックス３３に入力する。さらに、テキストボックス３３に入力された数値を確認した後に、送信キー３４をタッチすることによって、テキストボックス３３に入力された数値が、応答した灯具に論理ＩＤとして送信される。なお、当該プログラムが実行されている間に、キャンセルキー３５がタッチされる場合には、当該プログラムを途中で中断させることができる。
【００５８】
図１０には、照明用空間における各灯具の位置と各灯具が有する固有識別情報とを対応させるための制御が実行される場合にタッチパネル２０５に表示される画面の別の一例を示す。図１０に示す例においては、明用空間における各灯具のレイアウトが、タッチパネル２０５に表示される。制御装置２００（図１参照）に灯具が応答する場合には、図９に示す例と同様に、タッチパネル２０５のウインド３２に、論理ＩＤが付与されていない未登録の灯具の物理ＩＤ（固有識別情報）が表示される。
【００５９】
ウインド３２に表示された物理ＩＤの例によれば、０ｘ１１０２の固体識別情報を有する灯具が、現在応答中であることがわかる。作業者は、照明用空間において点滅する灯具を確認したうえで、点滅する灯具の位置に対応するキーをタッチする。これによって、点滅する灯具に、照明用空間における位置に即した論理ＩＤ（位置の情報）が付与される。
【００６０】
０ｘ１１０２の固有識別情報を有する灯具は、照明用空間において、例えば図３を示すように２行１列目に位置している。作業者は、照明用空間の２行１列目において点滅する灯具を確認したうえで、点滅する灯具の位置として、図１０に示すタッチパネル２０５に表示された２行１列目のキー４５をタッチする。キー４５のタッチによって、照明用空間における２行１列目の位置を表す論理ＩＤが、照明用空間において２行１列目に設置され且つ０ｘ１１０２の固体識別情報を有する灯具に送信且つ付与される。同様に、照明用空間の１行１列目において点滅する灯具を確認した場合に、作業者は、図１０に示すタッチパネル２０５に表示された１行１列目のキー４１をタッチする。
【００６１】
このように、タッチパネル２０５において、照明用空間における各灯具の位置の情報としての論理ＩＤが制御装置２００に入力されることにより、照明用空間における各灯具の位置と各灯具の各固有識別情報との対応が設定される。
【００６２】
ステップＳ１０５において、ＹＥＳと判定される（つまり、論理ＩＤが入力された）場合にはステップＳ１０７に進み、ＮＯと判定される場合にはステップＳ１０６に進む。ステップＳ１０６においては、ステップＳ１０４においてＹＥＳと判定されてから所定の時間が経過したか否かが判定される。ステップＳ１０６において判定される所定の時間は、タッチパネル２０５のテキストボックス２３（図８参照）に入力された時間（登録作業間隔）に対応する。
【００６３】
ステップＳ１０６においてＮＯと判定される場合には、ステップＳ１０５に戻る。ステップＳ１０６においてＹＥＳと判定される場合には、ステップＳ１０４に戻り、一度待ち時間が零を迎えた灯具または他の灯具から応答があるか否かが判定される。
【００６４】
ステップＳ１０５において論理ＩＤが作業者によって入力された場合には、ステップＳ１０７において、電文Ｃとしての論理ＩＤ設定電文が応答した灯具に送信される。図６に、論理ＩＤ設定電文としての電文Ｃの構成を示す。電文Ｃは、第３の電文の一例である。
【００６５】
ステップＳ１０７の後には、今回の設定に用いられるすべての物理ＩＤ（固有識別情報）分のスキャニングが終了するまで、ステップＳ１０８とステップＳ１０９とを含むステップＳ１０４〜Ｓ１０９が実行される。ステップＳ１０８においては、今回の設定に用いられるすべての物理ＩＤ（固有識別情報）分のスキャニングが終了したか否かが判定される。ステップＳ１０９においては、制御装置２００から各灯具に、スキップ要求電文としての電文Ｄ（図６参照）が同報送信される。
【００６６】
図７に示すように、０ｘ１１０１といった固有識別情報を有する灯具に論理ＩＤが付与された後には、さらに各灯具がスキップ要求電文（電文Ｄ（図６参照））を受信した後に、０ｘ１１０２といった固有識別情報を有する灯具の待ち時間が零を迎える。０ｘ１１０２といった固有識別情報を有する灯具にも、ステップＳ１０５，Ｓ１０７が実行されることによって論理ＩＤが付与される。
【００６７】
図３に示すように、照明制御システム１００において、照明用空間に設置される複数の灯具の固有識別情報は、０ｘ１１０１〜０ｘ１１０６に続いて、次の０ｘ１１１０まで番号が空いている。そのため、０ｘ１１０１〜０ｘ１１０６の固有識別情報を有する各灯具について順に論理ＩＤを付与した後に、いずれかの灯具からの無応答を検知した時点から、次の０ｘ１１１０の固有識別情報を有する灯具の待ち時間が零になるまで、他の灯具の待ち時間をスキップすることにより、次の応答に掛かる時間を短縮することができる。このようにして、照明用空間に設置されたすべての灯具、または、照明用空間に設置された複数の灯具のうちの一部について、今回の設定に用いられるすべての物理ＩＤ（固有識別情報）分のスキャニングが終了するまで、図４に示すルーチンが制御装置２００（図１参照）において実行される。
【００６８】
このようにして、各灯具は、電文Ａを受信し、固有識別情報とマスクデータとに基づいた所定の待ち時間ごとに順に、照明用空間における各灯具の位置の情報（論理ＩＤ）を取得するための電文Ｂを制御装置２００に送信する。電文Ｂを送信する灯具は、所定の時間、点灯の状態から点滅の状態に変化する。制御装置２００は、タッチパネル２０５が操作されることによって、論理ＩＤを含む電文Ｃを各灯具に送信する。
【００６９】
続いて、照明制御システム１００の各灯具のＣＰＵ（いずれも図１参照）が実行する制御のフローチャートについて、図５を用いて説明する。まず各灯具の電源がＯＮされてから、ステップＳ２０１において、各灯具のＣＰＵを含むマイコンが初期化される。ステップＳ２０２において、各灯具の光源としてのＬＥＤ（発光ダイオード）が点灯する。
【００７０】
ステップＳ２０３においては、制御装置２００（図１参照）から送信される電文を受信したか否かが判定される。ステップＳ２０３において、ＹＥＳと判定される場合には、ステップＳ２０４に進み、ＮＯと判定される場合には、ステップＳ２０３に戻ってＬＥＤの点灯が継続される。
【００７１】
ステップＳ２０４においては、図４に示すステップＳ１０７において送信される論理ＩＤ設定電文（電文Ｃ（図６参照））を受信することによって、論理ＩＤ（位置の情報）がすでに付与されたか否かが判定される。ステップＳ２０４において、ＹＥＳと判定される場合にはステップＳ２０５に進み、ＮＯと判定される場合には、以降のステップにおいて論理ＩＤが付与されるように、ステップＳ２４１に進む。
【００７２】
ステップＳ２０５においては、ステップＳ２０３において受信した電文に含まれるコマンドが抽出される。ステップＳ２０６においては、受信した電文が電文Ａ（図６参照）であるか否かが判定される。ステップＳ２０６において、ＹＥＳと判定される場合には、ステップＳ２４２に進み、ＮＯと判定される場合には、ステップＳ２０７に進んで、ＬＥＤの点灯または消灯を含む調光が制御される状態が継続される。
【００７３】
ステップＳ２４１においては、ステップＳ２０３において受信した電文が、登録要求電文または継続登録要求電文としての電文Ａ（図６参照）であるか否かが判定される。ステップＳ２４１において、ＹＥＳと判定される場合にはステップＳ２４２に進み、ＮＯと判定される場合にはステップＳ２５０に進む。
【００７４】
ステップＳ２４２においては、電文Ａ（図６参照）に含まれるマスクデータと単位時間のデータとが抽出される。続いて、ステップＳ２４３においては、制御装置２００（図１参照）に応答するまでの待ち時間のカウントが開始される。待ち時間は、抽出されたマスクデータと単位時間のデータと自己の固有識別情報とに基づく時間（単位は例えば秒）である。
【００７５】
ステップＳ２４４においては、自己の待ち時間が零になったか否かが判定される。ステップＳ２４４において、ＹＥＳと判定される場合にはステップＳ２４５に進み、ＮＯと判定される場合にはステップＳ２５０に進む。
【００７６】
ステップＳ２５０においては、ステップＳ２０３において受信した電文が、スキップ要求電文としての電文Ｄ（図６参照）であるか否かが判定される。ステップＳ２５０において、ＹＥＳと判定される場合にはステップＳ２５１に進み、ＮＯと判定される場合にはステップＳ２０３に戻る。
【００７７】
ステップＳ２５１においては、応答するまでの待ち時間を現在カウントしているか否かが判定される。ステップＳ２５１において、ＹＥＳと判定される場合にはステップＳ２５２に進み、ＮＯと判定される場合にはステップＳ２４４を経てステップＳ２５０に戻る。
【００７８】
ステップＳ２５２においては、応答するまでの現在の待ち時間から単位時間（例えば１０秒）が減算される。ステップＳ２５２の後にはステップＳ２４４に進む。
【００７９】
ステップＳ２４５においては、ＩＤ取得要求電文としての電文Ｂ（図６参照）が制御装置２００（図１参照）に送信される。電文Ｂは、第２の電文の一例である。ステップＳ２４６においては、電文Ｂを送信する灯具の状態が点灯から点滅に切り換えられる。ステップＳ２４７においては、論理ＩＤ設定電文としての電文Ｃ（図６参照）を受信したか否かが判定される。ステップＳ２４７において、ＹＥＳと判定される場合にはステップＳ２４９に進み、ＮＯと判定される場合にはステップＳ２４８に進む。
【００８０】
ステップＳ２４８においては、ステップＳ２４６において点滅が開始されてから所定の時間が経過したか否かが判定される。ステップＳ２４８において、ＹＥＳと判定される場合にはステップＳ２４９に進み、ＮＯと判定される場合にはＹＥＳと判定されるまでステップＳ２４７とステップＳ２４８とが所定の時間繰り返される。
【００８１】
ステップＳ２４８の判定に用いられる時間は、ステップＳ１０６（図４参照）の判定に用いられる時間およびタッチパネル２０５のテキストボックス２３（図８）に入力された時間に対応する。つまり、電文Ｃを送信した灯具は、タッチパネル２０５のテキストボックス２３（図８）に入力された時間に応じて、例えば１０秒間点滅する。
【００８２】
ステップＳ２４９においては、照明用空間における自己の位置と自己の固有識別情報との対応が設定された灯具の状態が、元の点灯の状態に戻される。ステップＳ２４９の後には、ステップＳ２０３に戻る。
【００８３】
なお、電文Ａに含まれるマスクデータの範囲が、例えば複数の灯具のうちの照明用空間に配置された複数の灯具の固有識別情報の範囲に応じてタッチパネル２０５における入力によって設定されること、または、電文Ａに含まれるマスクデータが、複数の灯具のうちの照明用空間に配置された各灯具の固有識別情報に応じてタッチパネル２０５における入力によって設定されることによって、設定を要する灯具から制御装置２００への応答を早めることができるため、照明制御システム１００において継続登録を容易に行うことができる。
【００８４】
継続登録による論理ＩＤの設定の場合には、位置に対応した論理ＩＤがすでに設定された灯具以外の灯具（例えば、新規登録の際に何らかの原因によって登録できなかった灯具、または、灯具の交換もしくは追加によって論理ＩＤが設定されていない灯具等）のみが制御対象であるため、設定済みの灯具までに論理ＩＤが再設定されるという手順が踏まれることなく、最小限の作業量によって設定を済ませることが可能となる。また、論理ＩＤが設定されているかどうかの判定方法（言い換えると、論理ＩＤが設定されていない灯具のみに論理ＩＤを設定する方法）は、例えば、以下の２つが挙げられる。
【００８５】
まず、各灯具の論理ＩＤが未設定である状態において、各灯具の論理ＩＤ（図６の電文Ｃ参照）は、デフォルトで０ｘ００に予め設定されている。なお、照明制御システム１００においては、各灯具の論理ＩＤがデフォルトで０ｘ００に予め設定されたこの状態を、位置情報が未設定の状態と定義する。ここで、一例は、電文Ａにおいて送信先ＩＤが未設定の状態を指すように、つまり、未設定の状態の灯具のみに電文Ａが送信されるように電文Ａを構成する方法である。この方法によれば、電文Ａにおける送信先ＩＤがデフォルトで０ｘ００に設定されている。
【００８６】
別の一例は、電文Ａの構成において、送信先ＩＤが一斉同報用の０ｘＦＦに設定された方法である（図６参照）。この方法によれば、灯具が自身に論理ＩＤが設定されていないと判定する（図５のステップＳ２０４参照）ときのみ（つまり、自身の論理ＩＤが０ｘ００であると灯具が判定するときのみ）に、ＩＤ取得要求電文（電文Ｂ）を送信する。これらの方法により、すでに論理ＩＤが設定された灯具からのＩＤ取得要求電文（電文Ｂ）の送信を省略することができるため、論理ＩＤが設定されていない灯具のみに論理ＩＤを設定することができる。
【００８７】
以上のように、照明制御システム１００は、照明用空間に設置される複数の灯具と、複数の灯具と通信可能に接続された制御装置２００とを備えている。複数の灯具は、それぞれ固有識別情報を有している。制御装置２００は、複数の灯具に情報を送信するために操作されるタッチパネル２０５を有している。制御装置２００は、照明用空間における各灯具の位置と各灯具の各固有識別情報とを対応させるための設定に用いられるように構成されている。照明用空間における各灯具の位置が確認されたうえで、タッチパネル２０５において各位置に対応する論理ＩＤが制御装置２００に入力されることにより、照明用空間における各灯具の位置に該当する論理ＩＤが各灯具に設定される。これにより、照明用空間における各灯具の位置と各灯具の各固有識別情報との対応が設定される。
【００８８】
照明制御システム１００によれば、制御装置２００を用いた作業者によって、照明用空間における各灯具の位置の情報が制御装置２００に入力されることにより、照明用空間における各灯具の位置と各灯具の各固有識別情報とを対応させることができる。つまり、照明制御システム１００において、照明用空間における各灯具の位置の情報および固有識別情報は、制御装置２００に予め認識されていなくてもよい。そのため、照明制御システム１００においては、各灯具の位置と各灯具が有する固有識別情報との対応を設定するためのプログラムを簡略化することができる。
【００８９】
また、照明制御システム１００によれば、照明用空間における各灯具の位置のみの情報を作業者が入力することによって、照明用空間における各灯具の位置と各灯具の各固有識別情報とを対応させることができる。このように、照明制御システム１００によれば、各灯具の位置と各灯具が有する固有識別情報との対応が設定される場合に、作業性の向上が可能である。
【００９０】
このようにすることにより、灯具を含む照明制御システムであって、灯具の位置と灯具が有する固有識別情報との対応を設定するためのプログラムを簡略化することが可能な照明制御システム１００を提供することができる。
【００９１】
照明制御システム１００において、制御装置２００は、固有識別情報に対応する単位時間の情報を含むマスクデータを有する電文Ａを、照明用空間における各灯具に送信する。電文Ａを受信した各灯具は、固有識別情報とマスクデータとに基づいた所定の待ち時間ごとに順に、照明用空間における各灯具の位置の情報を取得するための電文Ｂを制御装置に送信するとともに、点灯の状態から点滅の状態に変化する。制御装置２００は、点滅状態に変化した灯具に当該灯具の位置の情報を含む電文Ｃを送信する。
【００９２】
この構成によれば、制御装置２００を用いて照明用空間における各灯具の位置と各灯具の各固有識別情報とを対応させるための設定を行う作業者は、他の灯具と異なる点灯状態に変化した電文Ｂを送信する灯具を視認したうえで、タッチパネル２０５を操作する。このとき、作業者は、照明用空間における各灯具の位置のみの情報、つまり、当該位置に対応した論理ＩＤを入力することによって、照明用空間における各灯具の位置と各灯具の各固有識別情報とを対応させることができる。つまり、照明制御システム１００によれば、作業性の向上をさらに図ることができる。
【００９３】
照明制御システム１００において、電文Ａに含まれるマスクデータの範囲は、タッチパネル２０５において任意に設定される。
【００９４】
この構成によれば、照明用空間に設置されるすべての灯具の固有識別情報の範囲が前もって知られている場合に、電文Ａに含まれるマスクデータの範囲を、照明用空間に配置された複数の灯具の固有識別情報の範囲に応じて設定することにより、制御装置２００が電文Ａを送信してから各灯具が制御装置２００に電文Ｂを送信するまでの時間を、それぞれ短縮することができる。つまり、各灯具が電文Ｂを送信するまでの待ち時間を必要以上に長くならないように設定することができる。このように、この構成によれば、作業に掛かる時間を短縮することができるため、作業性をより向上させることができる。
【００９５】
照明制御システム１００において、制御装置２００は、電文Ａを送信した後に所定時間各灯具から電文Ｂの応答が無い場合には、各灯具が待ち時間を所定時間ごとにスキップするための電文Ｄを、照明用空間における各灯具に送信する。
【００９６】
この構成によれば、固有識別情報とマスクデータとに基づいた待ち時間がスキップされるため、制御装置２００が電文Ａを送信してから、各灯具が制御装置２００に電文Ｂを送信するまでの時間を短縮することができる。このように、この構成によれば、作業に掛かる時間を短縮することができるため、作業性をより向上させることができる。
【００９７】
照明制御システム１００において、各灯具は、位置の情報が設定されていない場合のみに第２の電文を制御装置２００に送信するように構成されている。
【００９８】
この構成によれば、照明用空間に設置された複数の灯具のうちの一部のみを入れ替える場合または照明用空間に灯具を追加する場合等において、位置の情報が設定されていない灯具のみについて、照明用空間における各灯具の位置と各灯具の各固有識別情報とを対応させるための設定を行うことができる。
【００９９】
なお、制御装置２００に応答する灯具、つまり、ＩＤ取得要求電文としての電文Ｂを送信する灯具は、所定の時間、照明用空間における他の灯具と異なる点灯状態に変化していればよく、点滅することに限定されない。点灯状態が変化する光源としては、各灯具において通常使用される照明用の光源に限らない。各灯具は、専用の光源を別に備え、当該別の光源がインジケータとして発光するように構成されていてもよい。
【０１００】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０１】
１００：照明制御システム、２００：制御装置、２０５：タッチパネル、５０１，５０２，・・・，５１６：灯具
【図１】
2014011007.tif 000003
【図２】
2014011007.tif 000004
【図３】
2014011007.tif 000005
【図４】
2014011007.tif 000006
【図５】
2014011007.tif 000007
【図６】
2014011007.tif 000008
【図７】
2014011007.tif 000009
【図８】
2014011007.tif 000010
【図９】
2014011007.tif 000011
【図１０】
2014011007.tif 000012